(57)【要約】【課題】  必要最小限の基本構成部品からなるノックダウン方式で側方への拡張性を備え、施工性にも優れ、更なるコスト低減化を図ることが可能であり、追加オプションによる拡張性も有する組立式デスクを提供する。【解決手段】  少なくとも両端部に配する端部脚１、中間に配し、脚柱６と支持アーム７からなる側面視略Ｔ字形の中間脚２、端部脚と中間脚の間又は中間脚と他の中間脚の間を連結する前後一対のビーム板３及び端部脚と中間脚の上面に前後に間隔を置いて載置して取付ける天板４とを有し、一対のビーム板を前後に間隔を隔てて配置してそれぞれ端部脚又は前記中間脚に連結するとともに、前後の天板間のダクト開口８の下方に両ビーム板間に形成するダクト空間９が位置し、ダクト開口にはダクトカバー５を着脱可能に装着する。【選択図】        図１
2015104584.tif 000002
【特許請求の範囲】
【請求項１】
少なくとも両端部に配する端部脚、中間に配し、脚柱と１本の支持アームからなる側面視略Ｔ字形の中間脚、前記端部脚と中間脚の間又は中間脚と他の中間脚の間を連結する前後一対のビーム板及び前記端部脚と中間脚の上面に前後に間隔を置いて載置して取付ける天板とを有し、一対の前記ビーム板を前後に間隔を隔てて配置してそれぞれ前記端部脚又は前記中間脚に連結するとともに、前後の天板間のダクト開口の下方に両ビーム板間に形成するダクト空間が位置し、前記ダクト開口にはダクトカバーを着脱可能に装着することを特徴とする組立式デスク。
【請求項２】
前記ビーム板は、垂直な幕板の上下縁を内方に折曲して上下補強縁を形成するとともに、前記幕板の両端部内側に垂直な取付端板を有する連結部材を固着し、該取付端板を前記端部脚又は前記中間脚の側面上部にネジ止めしてなる請求項１記載の組立式デスク。
【請求項３】
前記端部脚及び前記中間脚の側面に沿った位置で、前記ビーム板間の上部にわたって受部材を取付け、該受部材に机上パネルの支持部材を取付けるとともに、前記ダクト開口の上位に左右両側の支持部材で机上パネルを支持してなる請求項１又は２記載の組立式デスク。
【請求項４】
前記受部材は、垂直な基板の上縁を直角に折曲して前記支持部材を取付ける取付板を形成するとともに、前記基板の両側下端部に下方へ開放したＵ字溝を形成し、前記ビーム板を前記端部脚又は前記中間脚に取付けるネジに両Ｕ字溝を係合し、該ビーム板と共締めしてなる請求項３記載の組立式デスク。
【発明の詳細な説明】
【技術分野】
【０００１】
本発明は、組立式デスクに係わり、更に詳しくはノックダウン方式で側方への拡張性を備えた組立式デスクに関するものである。
【背景技術】
【０００２】
従来から、端部脚と中間脚と、その間を連結する連結部材と、天板とからなり、中間脚を介して同一脚間距離で次々に天板を側方へ連設する構造の組立式デスクは各種提供されている。
【０００３】
例えば、本出願人に係る特許文献１には、少なくとも両端部に配する端部脚、中間に配する中間脚、前記端部脚と中間脚の間又は中間脚と他の中間脚の間を連結する脚間モジュール及び前記端部脚と中間脚の上面に前後に間隔を置いて載置して取付ける天板を有するとともに、前後の天板の間の下方に前記脚間モジュールに備えたダクト開口が位置する組立式デスクが開示されている。
【０００４】
更に詳しくは、特許文献１に記載の組立式デスクは、天板は全て同一横幅であり、中間脚は、脚柱と支持アームからなる側面視略Ｔ字形であるとともに、その横幅を前記端部脚の横幅の２倍に設定したものであり、脚間モジュールは、前後に間隔を隔てて配する両ビーム板と、両ビーム板の両端上部間を連結する連結板とからなり、前記ビーム板は上下を内側に折り曲げるとともに、端面に断面Ｌ字形部材を固定して連結片を形成し、両ビーム板に固定した断面Ｌ字形部材の上部間を前記連結板で連結して上下貫通したダクト開口を形成するとともに、両端部において両連結片と連結板とで前記ダクト開口に連通して横方向に開放した開口部を形成させ、更に前記端部脚と中間脚の間及び隣り合う両中間脚の間で同一長さとしたものであり、前記天板の下面側縁を、前記端部脚の上面に天板の側端面と端部脚の外側面が面一となるように載置するとともに、前記中間脚の上面に天板の側端面と中間脚の中心線が一致するように載置して取付手段にて取付け、中間脚の位置における天板同士の側端面を直接接合するものである。
【０００５】
前述の特許文献１に記載のコンセプトの組立式デスクは、構造が単純、組立施工も簡単、比較的低コストであることから、市場において好評を博しているところであり、他社も追随しているところであるが、課題も若干ある。つまり、脚間モジュールは、前後に間隔を隔てて配した両ビーム板の両端間を連結板で連結した構造であるので、嵩張ることは否めず、保管や搬送における空間効率を悪くする原因となっていた。
【先行技術文献】
【特許文献】
【０００６】
【特許文献１】特開２００７−１５１８２４号公報
【発明の概要】
【発明が解決しようとする課題】
【０００７】
そこで、本発明が前述の状況に鑑み、解決しようとするところは、必要最小限の基本構成部品からなるノックダウン方式で側方への拡張性を備え、施工性にも優れ、更なるコスト低減化を図ることが可能であり、追加オプションによる拡張性も有する組立式デスクを提供する点にある。
【課題を解決するための手段】
【０００８】
本発明は、前述の課題解決のために、少なくとも両端部に配する端部脚、中間に配し、脚柱と１本の支持アームからなる側面視略Ｔ字形の中間脚、前記端部脚と中間脚の間又は中間脚と他の中間脚の間を連結する前後一対のビーム板及び前記端部脚と中間脚の上面に前後に間隔を置いて載置して取付ける天板とを有し、一対の前記ビーム板を前後に間隔を隔てて配置してそれぞれ前記端部脚又は前記中間脚に連結するとともに、前後の天板間のダクト開口の下方に両ビーム板間に形成するダクト空間が位置し、前記ダクト開口にはダクトカバーを着脱可能に装着することを特徴とする組立式デスクを構成した（請求項１）。
【０００９】
ここで、前記ビーム板は、垂直な幕板の上下縁を内方に折曲して上下補強縁を形成するとともに、前記幕板の両端部内側に垂直な取付端板を有する連結部材を固着し、該取付端板を前記端部脚又は前記中間脚の側面上部にネジ止めしてなるものである（請求項２）。
【００１０】
また、前記端部脚及び前記中間脚の側面に沿った位置で、前記ビーム板間の上部にわたって受部材を取付け、該受部材に机上パネルの支持部材を取付けるとともに、前記ダクト開口の上位に左右両側の支持部材で机上パネルを支持してなることも好ましい（請求項３）。
【００１１】
更に、前記受部材は、垂直な基板の上縁を直角に折曲して前記支持部材を取付ける取付板を形成するとともに、前記基板の両側下端部に下方へ開放したＵ字溝を形成し、前記ビーム板を前記端部脚又は前記中間脚に取付けるネジに両Ｕ字溝を係合し、該ビーム板と共締めしてなることがより好ましい(請求項４)。
【発明の効果】
【００１２】
以上にしてなる請求項１に係る発明の組立式デスクによれば、少なくとも両端部に配する端部脚、中間に配し、脚柱と１本の支持アームからなる側面視略Ｔ字形の中間脚、前記端部脚と中間脚の間又は中間脚と他の中間脚の間を連結する前後一対のビーム板及び前記端部脚と中間脚の上面に前後に間隔を置いて載置して取付ける天板とを有し、一対の前記ビーム板を前後に間隔を隔てて配置してそれぞれ前記端部脚又は前記中間脚に連結するとともに、前後の天板間のダクト開口の下方に両ビーム板間に形成するダクト空間が位置し、前記ダクト開口にはダクトカバーを着脱可能に装着するので、必要最小限の基本構成部品からなるノックダウン方式で側方への拡張性を備え、施工性にも優れている効果の他に、一対のビーム板を重ねれば空間の利用効率が上がり、また梱包材の節約もでき、保管、搬送のコストを低減することができ、基本構成のデスクのコスト低減化にも寄与するのである。
【００１３】
請求項２によれば、前記ビーム板は、垂直な幕板の上下縁を内方に折曲して上下補強縁を形成するとともに、前記幕板の両端部内側に垂直な取付端板を有する連結部材を固着し、該取付端板を前記端部脚又は前記中間脚の側面上部にネジ止めしてなるので、ビーム板は偏平な形状であるので、取り扱いが容易であり、脚間に前後一対連結した状態では、剛性が高い構造となり、安定に天板を支持することができる。
【００１４】
請求項３によれば、前記端部脚及び前記中間脚の側面に沿った位置で、前記ビーム板間の上部にわたって受部材を取付け、該受部材に机上パネルの支持部材を取付けるとともに、前記ダクト開口の上位に左右両側の支持部材で机上パネルを支持してなるので、机上パネルが必要な場合にのみオプションとして受部材を取付けて、机上パネルの支持部材を取付けることができ、基本構成がより単純になるのでコスト低減化に寄与するとともに、オプションによる拡張性をも確保できる。
【００１５】
請求項４によれば、前記受部材は、垂直な基板の上縁を直角に折曲して前記支持部材を取付ける取付板を形成するとともに、前記基板の両側下端部に下方へ開放したＵ字溝を形成し、前記ビーム板を前記端部脚又は前記中間脚に取付けるネジに両Ｕ字溝を係合し、該ビーム板と共締めしてなるので、受部材を簡単に取付けることができ、また受部材の取付状態は極めて安定であるので、支持部材を介して机上パネルを安定に支持でき、更に追加部品点数も最小となってコスト低減化に寄与する。
【図面の簡単な説明】
【００１６】
【図１】本発明の組立式デスクの構成例を示す斜視図である。
【図２】同じく部分分解斜視図である。
【図３】同じく端部脚と中間脚をビーム板で連結した後、天板を取付ける状態の部分分解斜視図である。
【図４】端部脚にビーム板を連結する状態の部分分解斜視図である。
【図５】端部脚にビーム板を連結した状態の部分斜視図である。
【図６】中間脚の部分分解斜視図である。
【図７】組立式デスクの縦断側面図である。
【図８】ダクト部分の拡大縦断面図である。
【図９】机上パネルを備えた組立式デスクの構成例を示す斜視図である。
【図１０】同じく受部材と机上パネルの支持部材の関係を示す拡大部分斜視図である。
【図１１】机上パネルの支持構造を示す部分省略斜視図である。
【図１２】両側の支持部材に机上パネルを支持する状態の分解斜視図である。
【図１３】机上パネルを備えた組立式デスクの縦断側面図である。
【図１４】ダクト部分の拡大縦断面図である。
【発明を実施するための形態】
【００１７】
次に、添付図面に示した実施形態に基づき、本発明を更に詳細に説明する。図１は本発明に係る組立式デスクを示し、図２〜図８はその詳細を示し、図９〜図１４は机上パネルを備えた組立式デスクを示し、図中符号１は端部脚、２は中間脚、３はビーム板、４は天板、５はダクトカバーをそれぞれ示している。
【００１８】
本発明に係る組立式デスクは、少なくとも両端部に配する端部脚１，１、中間に配し、脚柱６と１本の支持アーム７からなる側面視略Ｔ字形の中間脚２、前記端部脚１と中間脚２の間又は中間脚２と他の中間脚２の間を連結する前後一対のビーム板３，３及び前記端部脚１と中間脚２の上面に前後に間隔を置いて載置して取付ける天板４とを有し、一対の前記ビーム板３，３を前後に間隔を隔てて配置してそれぞれ前記端部脚１又は前記中間脚２に連結するとともに、前後の天板４，４間のダクト開口８の下方に両ビーム板３，３間に形成するダクト空間９が位置し、前記ダクト開口８にはダクトカバー５を着脱可能に装着するものである。
【００１９】
前記端部脚１は、図２に示すように、側面視四角形の板状のものであり、上端に天板４を取付ける取付金具１０，…を内方へ向けて前後に４つ固定している。前記端部脚１は、前後両端の内面側を約４５度に面取りして、外観性においてシャープなイメージを醸し出している。前記取付金具１０は、図５に示すように、Ｌ字形のアングル材であり、該取付金具１０を取付ける前記端部脚１の上端内側コーナー部には切欠孔１１を形成し、該取付金具１０の垂直片１０Ａを前記切欠孔１１に挿入し、端部脚１の内面側から挿入したネジ１２を垂直片１０Ａに螺合して取付けると、水平片１０Ｂが端部脚１の上面と面一となって内方へ向いた突出する。前記取付金具１０の水平片１０Ｂには取付孔１３が形成されている。
【００２０】
また、前記中間脚２は、図２、図３及び図６に示すように、脚柱６と前後方向に延びた１本の支持アーム７とからなる側面視略Ｔ字形を有し、前記支持アーム７の横幅は端部脚１の横幅の２倍に設定している。尚、前記支持アーム７には、前記端部脚１の取付金具１０の取付孔１３に対応させて、上下貫通した貫通孔１４，…を２つずつ並べて４箇所に形成している。更に詳しくは、前記中間脚２の脚柱６は、前後一対の脚杆１５，１５を間隔を隔てて前記支持アーム７の中央部下側に固定するとともに、脚杆１５，１５の下端間を結合片１６で連結して一体化し、更に両脚杆１５，１５の上部を余して脚カバー１７，１７を両側に着脱可能に嵌着している。また、前記端部脚１の下端及び前記中間脚２の脚柱６の下端には適宜アジャスター１８，…を設けるものとする。ここで、前記脚カバー１７より上方の両脚杆１５，１５の間は前記ダクト空間９に連通するダクト開口部１９となる。
【００２１】
前記ビーム板３は、図２、図４及び図５に示すように、垂直な幕板２０の上下縁を内方に折曲して上下補強縁２１，２２を形成するとともに、前記幕板２０の両端部内側にアングル材からなる連結部材２３を固着したものである。ここで、前記連結部材２３の垂直な取付端板２４がビーム板３の端面に一致するようにしている。前記連結部材２３の取付端板２４の上下部にダルマ孔２５，２５を形成している。
【００２２】
そして、図４に示すように、前記端部脚１の内側面の上部に、前記ビーム板３の取付端板２４に形成した両ダルマ孔２５，２５に対応させて頭部付き連結ネジ２６，２６を突設する。同様に、前記中間脚２の脚柱６を構成する脚杆１５，１５の上部両側面にも頭部付き連結ネジ２６，２６を突設する。
【００２３】
前記天板４の構造は特に限定されないが、スチール製の表面板と裏面板の間にハニカムを介在させ、その周囲に合成樹脂製の低発泡体、あるいは中質繊維板（ＭＤＦ）等を配して芯材とした構造のものを用いた。また、スチール製の表面板と裏面板の間に直接低発泡の合成樹脂製の芯材を発泡形成することも可能である。更には、前記天板４は木質系の中実構造のものでも良い。そして、前記天板４の下面の両側端縁の前後部であって、前記取付金具１０，１０の取付孔１３，１３、中間脚２の支持アーム７に形成した貫通孔１４，１４に対応する位置に螺孔２７，２７を形成している。
【００２４】
このような各部品を用いて本実施形態に係る組立式デスクを施工するには、先ず図２及び図４に示すように、前記端部脚１を立起状態にして、前記ビーム板３の一方の連結部材２３に形成したダルマ孔２５，２５を前記端部脚１の内側面に突設した頭部付き連結ネジ２６，２６に係止し、それから連結ネジ２６を締め付ける。同様に、もう一枚のビーム板３を前記端部脚１の内側面に連結する。次に、前記中間脚２を立起状態にして、両ビーム板３，３の連結部材２３，２３に設けたダルマ孔２５，…を予め脚柱６に緩く螺着していた連結ネジ２６，…に係止した後、締め付けて連結する。この状態で前後一対のビーム板３，３間にはダクト空間９が形成される。次に、図３に示すように、前記端部脚１と中間脚２の上面に天板４の下面両側縁を載置し、前記端部脚１に設けた取付金具１０，１０の取付孔１３，１３と中間脚２の支持アーム７に形成した貫通孔１４，１４に、下方からネジ２８，…を挿通して前記天板４の螺孔２７，…に螺合する。
【００２５】
それから、前記中間脚２の他の側面に、他のビーム板３，３の一端部を前記同様に連結するとともに、該ビーム板３，３の他端部に前記同様に中間脚２又は端部脚１を連結する。このように、次々と側方へビーム板３，３、中間脚２、天板４を連結していき、最後に端部脚１を連結するのである。
【００２６】
更に、前記端部脚１の上面であって前後の天板４，４間には、図５に示すように、端金具２９を取付ける。この端金具２９は、水平な取付板３０の外側に当止片３１を立上げるとともに、取付板３０の前後部に端部を余して突片３２，３２を切り起し形成したものであり、前記取付板３０を前記端部脚１の上面にネジ３３，３３で取付ける。前記端金具２９の当止片３１は、前記ダクトカバー５のズレを規制する。また、前記中間脚２の支持アーム７の上面であって前後の天板４，４間には、図６に示すように、中間金具３４を取付ける。前記中間金具３４は断面略コ字形で前記支持アーム７の上面及び両側面に被さるように取付ける。前記中間金具３４の上面には、前記端金具２９の突片３２，３２と同じ間隔で二対の突起３５，３５を突設している。これら、突片３２，３２や突起３５，３５は、前記ダクトカバー５を所定の位置に正確に載支するのに利用する。つまり、前後の天板４，４の端部とダクトカバー５の間に、それぞれ配線コードを挿通するための隙間を形成するのである。
【００２７】
このように組立てたデスクは、図７及び図８に示すように、前後一対のビーム板３，３の間にダクト空間９が形成される。そこで、両ビーム板３，３の下側補強縁２２，２２に所定長さのコード受け３６を適数係止し、配線コードを受けることができるようにしている。前記コード受け３６は、トレーを構成し、両側縁に形成した係止部３７，３７を前記ビーム板３，３の下側補強縁２２，２２に係止するようにしている。
【００２８】
次に、図９〜図１４に基づいて、オプションとして、前後の天板４，４の中間に机上パネル３８を支持する場合を説明する。つまり、前記端部脚１及び前記中間脚２の側面に沿った位置で、前記ビーム板３，３間の上部にわたって受部材３９，３９を取付け、該受部材３９に机上パネル３８の支持部材４０を取付けるとともに、前記ダクト開口８の上位に左右両側の支持部材４０，４０で机上パネル３８を支持してなる。
【００２９】
ここで、前記受部材３９は、図１０に示すように、垂直な基板４１の上縁を直角に折曲して前記支持部材４０を取付ける取付板４２を形成するとともに、前記基板４１の両側下端部に下方へ開放したＵ字溝４３，４３を形成し、前記ビーム板３，３を前記端部脚１又は前記中間脚２に取付ける上側の連結ネジ２６，２６に両Ｕ字溝４３，４３を係合し、該ビーム板３の取付端板２４と共締めしてなるのである。前記受部材３９は、前記基板４１の下縁及び前記取付板４２の端縁に補強片４１Ａ，４１Ａをそれぞれ直角に折曲形成して支持強度を高めている。また、前記受部材３９の取付板４２には、前記支持部材４０をネジ止めするための螺孔４４．４４若しくは下穴を形成している。
【００３０】
前記支持部材４０は、前記受部材３９の取付板４２に取付ける固定板４５の一側縁に、前記端部脚１又は中間脚２の支持アーム７の上面に位置する段状に屈曲した支持板４６を折曲形成し、該支持板４６には支持ピン４７を立設したものである。前記支持部材４０の支持板４６は、前記端金具２９の両突片３２，３２の間、若しくは中間金具３４の突起３５，３５の間に位置する寸法である。前記支持部材４０の固定板４５を前記受部材３９の取付板４２に載せ、該固定板４５に形成した通孔４８，４８に挿通したネジ４９，４９を前記取付板４２の螺孔４４．４４に螺合して、支持ピン４７が立起状態となるように取付ける。
【００３１】
図１１に示すように、前記端部脚１の中央部に支持部材４０の支持ピン４７が立起し、前記中間脚２の支持アーム７の中央部に２本の支持ピン４７，４７が立起した状態となる。そして、左右一対の支持ピン４７，４７を前記机上パネル３８の両端に係合して支持するのである。図１３及び図１４に示すように、前記前記ダクト開口８の上位に位置し、前記ダクトカバー５との間には空間を設けて、該ダクトカバー５の着脱を可能としている。また、前記ダクトカバー５の両端部には、前記支持ピン４７を逃がすための切欠部５０，５０を形成している。
【符号の説明】
【００３２】
１  端部脚、          ２  中間脚、
３  ビーム板、        ４  天板、
５  ダクトカバー、    ６  脚柱、
７  支持アーム、      ８  ダクト開口、
９  ダクト空間、      １０  取付金具、
１０Ａ  垂直片、      １０Ｂ  水平片、
１１  切欠孔、        １２  ネジ、
１３  取付孔、        １４  貫通孔、
１５  脚杆、          １６  結合片、
１７  脚カバー、      １８  アジャスター、
１９  ダクト開口部、  ２０  幕板、
２１  上側補強縁、    ２２  下側補強縁、
２３  連結部材、      ２４  取付端板、
２５  ダルマ孔、      ２６  連結ネジ、
２７  螺孔、          ２８  ネジ、
２９  端金具、        ３０  取付板、
３１  当止片、        ３２  突片、
３３  ネジ、          ３４  中間金具、
３５  突起、          ３６  コード受け、
３７  係止部、        ３８  机上パネル、
３９  受部材、        ４０  支持部材、
４１  基板、          ４２  取付板、
４３  Ｕ字溝、        ４４  螺孔、
４５  固定板、        ４６  支持板、
４７  支持ピン、      ４８  通孔、
４９  ネジ、          ５０  切欠部。
【図１】
2015104584.tif 000003
【図２】
2015104584.tif 000004
【図３】
2015104584.tif 000005
【図４】
2015104584.tif 000006
【図５】
2015104584.tif 000007
【図６】
2015104584.tif 000008
【図７】
2015104584.tif 000009
【図８】
2015104584.tif 000010
【図９】
2015104584.tif 000011
【図１０】
2015104584.tif 000012
【図１１】
2015104584.tif 000013
【図１２】
2015104584.tif 000014
【図１３】
2015104584.tif 000015
【図１４】
2015104584.tif 000016